(57)【特許請求の範囲】
【請求項１】
垂直線に対して鋭角の下側のテーパー面および垂直線に対して鈍角の上側テーパー面を先端部に形成した第１の係合片を有する鞄の蓋部に取り付ける係止用フックと、対向した平行な壁面と、一方の壁面にあけられた上記係止用フックの係合片が出入りする長穴と、上記壁面と直交する底面に形成された軸受となる円柱状の突起と、対向する面にそれぞれスリットが形成された一対の区画と、該一対の区画のそれぞれに嵌め込まれて、上記スリットの幅よりも外径が大きい一対のコイル・スプリングとを有する鞄の身部に取り付ける筐体と、垂直線に対して鋭角の上側のテーパー面および垂直線に対して鈍角の下側テーパー面を先端部に形成した上記係止用フックと係合する第２の係合片と、上記一対の区画のスリットにそれぞれ入る突起とを有し、上記筐体の対向した平行な壁面に沿って摺動する係合部材と、リンクを介して上記係合部材と連結するアームを有し、上記筐体の円柱状の突起を軸として回動する回動部材と、該回動部材を回動させて、上記係止用フックと上記係合部材との係合・解放を行うハンドルとを具備することを特徴とする鞄用ロック装置。
【請求項２】
区画のスリットによって拘束されている２つのコイル・スプリングの端面と係合部材の２つの突起を当接させた中立状態において、係合部材の第２の係合片の鋭角の上側のテーパー面を筐体の長穴に突出させることを特徴とする請求項１に記載の鞄用ロック装置。
【請求項３】
回動部材の回動軸の外周に形成されたクリックストップ用の溝条と、筐体に設けたスリットを有する小区画と、上記スリットより突出し、上記回動部材の溝条と係合するクリックストップ用の楔状の突起を先端に有し、上記小区画内を摺動する摺動片と、上記小区画より筐体を貫通する穴に挿通され、鞄の蓋部により押圧される押ボタンと、該押ボタンと上記摺動片との間に反撥力を作用させるコイル・スプリングとよりなるクリックストップ機構を具備し、鞄の蓋部を閉じた状態において、ハンドルを操作して上記回動部材の回動軸を回動させて係合部材の第２の係合片を筐体の長穴より待避させたとき、上記回動部材の回動軸の溝条と楔状の突起とを係合させてクリックストップ作用を行うことを特徴とする請求項１に記載の鞄用ロック装置。
【請求項４】
鞄の蓋部を開いて押ボタンの押圧を弱めることにより、押ボタンと摺動片との間のコイル・スプリングの弾力を弱めてクリックストップ作用を解除することを特徴とする請求項３に記載の鞄用ロック装置。
【発明の詳細な説明】
【技術分野】
【０００１】
この発明は、旅行鞄、スーツケースなどの鞄類に適用するロック装置に関する。
【背景技術】
【０００２】
旅行鞄、スーツケースなどの大型の鞄においては、下記特許文献に開示されているように、蓋が閉まらないほど多くのものを詰め込んだ場合には、蓋を押さえ付けて蓋の開口部と身の開口部とを突き合わせながら、ロック装置を操作して施錠していた。
【特許文献１】特開平２−２７２１８３号公報
【特許文献２】特開２００３−１７２０５７号公報
【発明の開示】
【発明が解決しようとする課題】
【０００３】
このように、従来の鞄類のロック装置においては、蓋を強く押さえ付けて蓋の開口部と身の開口部とを突き合わせながら施錠しなければ、鞄を確実に施錠することができなかった。
【０００４】
そこで、この発明は、このような課題を解決するために考えられたもので、蓋を押さえ付けることにより鞄の蓋を仮締めし、その後、ロック装置のハンドルを操作して鞄の蓋を確実に本締めするように構成したものである。
【課題を解決するための手段】
【０００５】
この発明の鞄用ロック装置は、垂直線に対して鋭角の下側のテーパー面21ｃおよび垂直線に対して鈍角の上側テーパー面22ｃを先端部に形成した第１の係合片20ｃを有する鞄の蓋部に取り付ける係止用フックＣと、垂直線に対して鋭角の上側のテーパー面21および垂直線に対して鈍角の下側テーパー面22を先端部に形成した上記係止用フックＣと係合する第２の係合片20を有し、対向する一対のコイル・スプリング122、132によって中立状態に保持され係合部材２とを具備し、上記係合部材２の中立位置において、上記第１の係合片20ｃの鋭角のテーパー面21ｃにより上記第２の係合片20の鋭角のテーパー面21を摺動し、コイル・スプリング132の弾力に抗して係合部材２を移動させて、両係合片20ｃ、20の先端部近傍を係合させて仮締めするように構成したものである。
【０００６】
この発明の鞄用ロック装置は、垂直線に対して鋭角の下側のテーパー面21ｃおよび垂直線に対して鈍角の上側テーパー面22ｃを先端部に形成した第１の係合片20ｃを有する鞄の蓋部に取り付ける係止用フックＣと、対向した平行な壁面101、103、一方の壁面にあけられた上記係止用フックの係合片が出入りする長穴11、上記壁面101、103と直交する底面に形成された軸受となる円柱状の突起15、対向する面にそれぞれスリット121、131が形成された一対の区画12、13、該一対の区画12、13のそれぞれに嵌め込まれて、上記スリット121、131の幅よりも外径が大きい一対のコイル・スプリング122、132とを有する鞄の身部に取り付ける筐体１と、垂直線に対して鋭角の上側のテーパー面21および垂直線に対して鈍角の下側テーパー面22を先端部に形成した上記係止用フックＣと係合する第２の係合片20、上記一対の区画のスリット121、131にそれぞれ入る突起23、24とを有し、上記筐体１の対向した平行な壁面101、103に沿って摺動する係合部材２と、リンク26を介して上記係合部材２と連結するアーム32を有し、上記筐体１の円柱状の突起15を軸として回動する回動部材３と、この回動部材３を回動させて、上記係止用フックＣと上記係合部材２との係合・解放を行うハンドル７とを具備するものである。
【０００７】
さらに、この発明の鞄用ロック装置は、回動部材３の回動軸31の外周に形成されたクリックストップ用の溝条30と、筐体１に設けたスリット141を有する小区画14と、上記スリット141より突出し、上記回動部材３の溝条30と係合するクリックストップ用の楔状の突起41を先端に有し、上記小区画14内を摺動する摺動片40と、上記小区画14より筐体１を貫通する穴142に挿通され、鞄の蓋部により押圧される押ボタン44と、この押ボタン44と上記摺動片40との間に反撥力を作用させるコイル・スプリング47とよりなるクリックストップ機構を具備し、鞄の蓋部を閉じた状態において、ハンドル７を操作して上記回動部材３の回動軸31を回動させて係合部材２の第２の係合片20を筐体１の長穴11より待避させたとき、上記回動部材３の回動軸31の溝条30と楔状の突起41とを係合させてクリックストップ作用を行わせるように構成することができる。
【発明の効果】
【０００８】
この発明の鞄用ロック装置によると、蓋が閉まらないほど多くのものを詰め込んだ場合でも鞄の蓋を閉じて押さえ付けることにより、隙間は存在するが鞄の蓋を仮締めすることができ、次に、操作アッセンブリのハンドルを回すことにより、仮締めで生じた隙間を閉じて確実に本締めすることができるので、女性や子供でも鞄の蓋のロックを容易に行うことができる。
【発明を実施するための最良の形態】
【０００９】
この発明のロック装置は、蓋部および身部よりなる２つの半体を蝶番により開閉自在に連結した鞄類に適用するもので、蓋部に取り付けられた係止用フックＣと、身部に取り付けられて、蓋部の係止用フックと係合・解放を行う係合アッセンブリＡおよび操作アッセンブリＢとにより構成される。
【００１０】
鞄の蓋部分に取り付けられる係止用フックＣは、図１に示すように、係合片20ｃを先端に形成し、取付穴24ｃをあけた取付部23ｃを後端に形成したものであり、係合片20ｃの先端に下側のテーパー面21ｃおよび上側のテーパー面22ｃを形成したものである。
【００１１】
この係合片20ｃの先端部に形成される下側のテーパー面21ｃは、垂直線に対して鋭角αであり、上側のテーパー面22ｃは、垂直線に対して鈍角βに設定されている。
【００１２】
鞄の身部分の内側に取り付けられる係合アッセンブリＡは、図２の組立図に示すように、筐体１と、この筐体１内で横方向に摺動して、係止用フックＣと係合・解放を行う係合部材２と、身部の外からハンドル操作により回動させられる回動部材３と、この回動部材３の回動により係合部材２を横方向に移動させるリンク26とにより構成される。
【００１３】
筐体１は、図３の正面図（ａ）、平面図（ｂ）、底面図（ｃ）、側面図（ｄ）および平面図（ｂ）の線ｅ−ｅに沿って裁断した断面図（ｅ）に示すように、係合部材２（図４参照）を摺動させるための間隔が狭い上下に対向した平行な壁面101、103と、回動部材３およびリンク26を収めるための間隔が広い上下に対向した平行な壁面101、105と、これら２つの壁面103、105を連続的に結ぶ斜めの壁面106と、２つのコイル・スプリング122、132をそれぞれ嵌め込む２つの区画12、13が形成されている。さらに、筐体１の頂面には、蓋部の係止用フックＣを出入りさせる長穴11があけられている。この長穴11の長さは、係止用フックＣの幅より僅かに長く設定されている。
【００１４】
係合部材２を摺動させる上下に対向した平行な壁面101、103の内側には、図３の断面図（ｅ）に示すように、テーパー面を有するフック部102、104が形成されており、このフック部102、104は係合部材２の側面を摺動自在に支持して、係合部材２を筐体１内に保持するものである。
【００１５】
２つの区画12、13は、その対向する面にスリット121、131がそれぞれ形成されている。このスリット121、131の幅は、嵌め込むコイル・スプリング122、132の外径よりも狭く設定されており、スリット121、131と反対側の壁面との間に、２つのコイル・スプリング122、132を圧縮して弾力を強めた状態でそれぞれ嵌め込まれるものである。
【００１６】
筐体１には、回動部材３（図５参照）の軸受となる円柱状の低い第１の突起15と、係合部材２の長穴27（図４参照）に挿通するとともに、操作アッセンブリＢ（図８参照）を固定するタッピング・スクリューを通す貫通穴をあけた円柱状の高い第２の突起17と、施錠部材36の長方形の穴38（図２参照）と係合する四角柱状の高い第３の突起16と、支持金具５（図７参照）を固定するための穴をあけた第４の突起18、19が形成されている。四角柱状の第３の突起16にも操作アッセンブリＢを固定するタッピング・スクリューを通す貫通穴があけられている。
【００１７】
さらに、筐体１には、回動部材３の回動軸31に形成された軸方向の溝条30（図５参照）と係合して回動部材３の回動をクリック・ストップさせるためのクリック・ストップ部材４を収める小区画14が形成されている。この小区画14は、軸受となる円形の第１の突起15に対向する面にスリット141が形成され、筐体１の頂面には、この小区画14と連通する角穴142があけられている。
【００１８】
係合部材２は、図４の正面図（ａ）、平面図（ｂ）、底面図（ｃ）、側面図（ｄ）、（ｅ）および要部を示す図（ｆ）に示すように、筐体の間隔が狭い上下に対向した平行な壁面101、103の間に嵌め込まれて横方向に摺動するものであって、図４の平面図（ｂ）に示すように、筐体１の２つの区画12、13のスリット121、131に進入して２つのコイル・スプリング122、132をそれぞれ反対方向へ押す突起23、24と、筐体１の頂面のスリット141を経て挿し込まれる蓋部の係止用フックＣと係合する係合片20と、リンク26の一端と連結する連結部25と、筐体１の第２の突起17を挿通する長穴27とにより構成されている。
【００１９】
蓋部の係止用フックＣと係合する係合片20の形状は、係止用フックＣの係合片20ｃと点対称の形状（１８０度回転させた形状）であり、図４（ｆ）に示すように、先端部に上側のテーパー面21および下側のテーパー面22を形成したものであって、この係合片20ｃの先端部に形成される上側のテーパー面21は、垂直線に対して鋭角αであり、下側のテーパー面22は、垂直線に対して鈍角βに設定されている。
【００２０】
蓋部の係止用フックＣの係合片20ｃの角度αおよびβと、係合部材２の係合片20の角度αおよびβは、完全に一致させる必要はなく、この発明の基本的な構成を逸脱しない範囲において、動作状況に応じて両者の角度を適当に変えてもよいのである。
【００２１】
回動部材３は、図５の正面図（ａ）、平面図（ｂ）、底面図（ｃ）、側面図（ｄ）、（ｅ）に示すように、回動軸31と、この回動軸31に形成されてリンク26の一端を連結するアーム32と、係止片33とにより構成される。そして、回動軸31の一端側には、筐体１の円形の突起15が嵌る円形の穴34があけられ、回動軸31の他端側には、対向する２つの平面と対向する２つの円弧面で囲まれる小判形の穴35があけられており、回動軸31の外周にはクリックストップ用の溝条30が形成されている。
【００２２】
回動軸31の小判形の穴35には、操作アッセンブリＢの回動部材８の回転軸81（図１１参照）が嵌め込まれる。この回動部材３の回動軸31の他端側は、支持金具５（図７参照）の丸穴51により回動自在に支持される。
【００２３】
施錠部材36は、鉄板を打ち抜き加工したもので、図２に示すように、先端部をほぼ直角に曲げた回動部材３の係止片33と係合する係合突起37が形成され、筐体の四角柱状の第３の突起16と係合する長方形の角穴38があけられており、後端部は鍵の操作リンク（図示せず）に結合する穴39があけられている。
【００２４】
クリック・ストップ部材４は、図６に示す摺動片40と、押ボタン44と、摺動片42および押ボタン44との間に反撥力を作用させるコイル・スプリング47（図２参照）とにより構成される。
【００２５】
摺動片40は、図６の正面図（ａ）、平面図（ｂ）、側面図（ｃ）、（ｄ）に示すように、回動軸31の溝条30と係合する楔状の突起41を先端に有して筐体１の小区画14内を摺動するもので、楔状の突起41を支持する板42の裏側の四隅には、コイル・スプリング47を囲む４つの突起43が形成されている。
【００２６】
押ボタン44は、筐体１の頂面にあけた角穴142に嵌め込まれて、コイル・スプリング47を収めるる箱状のものであって、図６の正面図（ｅ）、平面図（ｆ）、側面図（ｇ）、（ｈ）に示すように、開口部の４辺より４つの突起45が形成され、各突起45の先端には、外向きの丸みを有する鉤部46が形成されている。
【００２７】
摺動片40の４つの突起43と押ボタン44の４つの突起45は、互いに４５度づつ角度がずれており、これら８つの突起43、45によりコイル・スプリング47が囲まれている。
【００２８】
このクリック・ストップ部材４の蓋となり、回動部材３の回動軸31の軸受となり、かつ、施錠部材36を保持する支持金具５は、鉄板を打ち抜き加工したもので、図７に示すように、円形の穴51と長方形の穴52が横向きに連続してあけられ、後端（図示左側）を直角の折り曲げて施錠部材36の保持片53を形成し、側部をクランク状に折り曲げてクリック・ストップ部材４の蓋部54を形成したものである。
【００２９】
次に、以上で説明した各パーツを組み合わせて係合アッセンブリＡを組み立てる工程を図２の組立図に基づいて説明する。
【００３０】
筐体１の２つの区画12、13に２つのコイル・スプリング122、132を圧縮して弾力を強めた状態でそれぞれ嵌め込む。
【００３１】
筐体１の小区画14のスリット141に楔状の突起41を沿わせて摺動片42を壁面101と平行に挿入し、コイル・スプリング47を入れた押ボタン44を筐体１の頂面にあけた角穴142から圧入して、クリック・ストップ部材４を形成する。
【００３２】
このとき、押ボタン44の開口部に設けた各突起45の外向きの鉤部46は、丸みを有しているので、４つの突起45を角穴142に挿し込むと、角穴142の内周に沿って内側に曲げられて通過することができ、通過後に各突起45が外向きに復元して鉤部46により押ボタン44が抜け出すことはないのである。
【００３３】
係合部材２の連結部25と回動部材３のアーム32とをリンク26によって予め連結しておく。
【００３４】
この係合部材２を筐体１の対向する平行な壁面101、103の間に押し込むと、係合部材２の側面によって、対向する壁面101、103の内側に形成されたフック部102、104のテーパー面を押し広げて弾性変形させるので、係合部材２を筐体１の対向する平行な壁面101、103の間に嵌め込むことができる。
【００３５】
このように、係合部材２が筐体１の対向する平行な壁面101、103の間に嵌め込まれると、係合部材２の下面が筐体１の底面上を摺動し、係合部材２の上面が筐体１のフック部102、104の下面に沿って摺動することができるので、係合部材２は筐体１の対向する平行な壁面101、103の間を横方向に摺動することができる。
【００３６】
回動部材３の円形の穴34を筐体１の円形の第１の突起15に嵌め込み、施錠部材36の長方形の穴38を筐体１の四角柱状の第３の突起16に嵌め込んだのち、支持金具５の円形の穴51を回動部材３の回動軸31に合わせ、長方形の穴52を筐体１の四角柱状の突起16に合わせて、筐体１の第４の突起18、19の穴にタッピングスクリューで固定すると、係合アッセンブリＡの組立てが完了する。
【００３７】
次に、鞄の身部分の外側に取り付けられる操作アッセンブリＢについて説明する。
【００３８】
操作アッセンブリＢは、図８の組立図に示すように、両端部が半円形で細長い基板６（図９参照）と、手で回動させるハンドル７（図１０参照）と、このハンドル７を基板６に対して約９０度の角度範囲だけ回動可能に結合する回動部材８（図１１参照）と、この回動部材８を覆うためのハンドル７の内側に固定される蓋部材９（図１２参照）とにより構成される。
【００３９】
基板６は、図９の正面図（ａ）、平面図（ｂ）、底面図（ｃ）、側面図（ｄ）に示すように、中心から外れた位置に回動部材８の回動軸81を挿通する穴61があけられ、裏面に係合アッセンブリＡの貫通穴をあけた第２の突起17および貫通穴をあけた四角柱状の第３の突起16と突き合わせてタッピングスクリューで結合される円筒状の突起63、64が一体に形成されている。
【００４０】
基板６の表側において、穴61の全周を囲む筒状の突条62が形成され、この筒状の突条62は、その半周621が高く、他の半周622が低くなるように段部が形成されている。さらに、基板６の穴61から遠い半円形の端面には切欠き65が形成されている。
【００４１】
ハンドル７は、その平面形状が基板６の形状とほぼ同じであって、図１０の正面図（ａ）、平面図（ｂ）、底面図（ｃ）、側面図（ｄ）および長手方向の断面図（ｅ）に示すように、長手方向と直交する断面形状において円弧状の頂面71を有しており、この頂面71の内側には、平行に配置された２つの突条72と、突出した１つのストッパー73と、蓋部材９（図１２参照）をかしめ止めするための３つの突起74が形成されている。さらに、一方の端面には、基板６の切欠き65と係合する突起75が形成されている。
【００４２】
回動部材８は、ハンドル７の内側に嵌め込まれるもので、図１１の正面図（ａ）、平面図（ｂ）、底面図（ｃ）、側面図（ｄ）、平面図（ｂ）の線ｅ−ｅで裁断した断面図（ｅ）および平面図（ｂ）の線ｆ−ｆで裁断した断面図（ｆ）に示すように、板部82と回動軸81とにより構成され、板部82は、一端部が半円形で他端部に細長い突出部821を形成したものであり、回動軸81は、板部82の一端部における半円部の中心に突出させたものである。さらに、板部82には、突出部821と回動軸81の基部との間にコイル・スプリング85を嵌め込む長方形の長穴822があけられている。
【００４３】
この回動軸81は、係合アッセンブリＡの回動部材３の小判形の穴35に挿し込まれるもので、図１１の底面図（ｃ）に示すように、断面形状が、対向する２つの平面と対向する２つの円弧面とを有する小判形である。さらに、この回動軸81の基部の周囲には、全周にわたってＣ形止め輪86を嵌め込むための溝条811が形成されている。
【００４４】
図１１に示すように、回動軸81の基部には、全周にわたって円形の溝条83が形成されており、この溝条83は、基板６の穴61の周囲に形成された筒状の突条62と係合するもので、その４分の１周（９０度）は溝条84が浅く、他の４分の３周（２７０度）は溝条85が深くなるように段部が形成されている。この溝条83の段部と基板６の筒状の突条62の段部とにより、回動部材８の回動軸81は、基板６に対して、基板６の長手方向および長手方向と直交する方向との間、即ち、９０度の角度範囲だけ回動できるように回動角度を制限するものである。
【００４５】
蓋部材９は、図１２の正面図（ａ）、平面図（ｂ）、底面図（ｃ）に示すように、ハンドル７の内側に嵌め込んだ回動部材８およびコイル・スプリング85を覆うもので、回動部材８の回動軸81の移動を許容する長穴91と、ハンドル７の３つの突起74に嵌め込んでかしめ止めする３つの穴92があけられている。
【００４６】
次に、以上で説明した各パーツを組み合わせて操作アッセンブリＢを組み立てる工程を図８の組立図に基づいて説明する。
【００４７】
まず、ハンドル７の内側において、回動部材８の突出部821をハンドル７の２つの突条72の間に合わせ、回動部材８の長方形の長穴822をハンドル７のストッパー73に合わせて嵌め込み、長穴822の一端とストッパー73との間にコイル・スプリング85を圧縮して嵌め込んで、その弾力により軸81を中央に引きつけるように、換言すると、ハンドル７の突起75を基板６の切欠き65と係合させるように作用させる。
【００４８】
そして、蓋部材９の長穴91から回動部材８の回動軸81を突出させるように、ハンドル７の内側に蓋部材９を嵌め込み、蓋部材９の３つの穴92にハンドル７の３つの突起74を挿通させて、突起74の先端をかしめることにより蓋部材９をハンドル７に固定する。
【００４９】
このように組み込まれたハンドル７の回動軸81を基板６の穴61に挿通しながら、ハンドル７を基板６に重ね合わせ、基板６の裏側に突出した回動軸81にワッシャー87を嵌め、回動軸81の基部に形成された溝条811にＣ形止め輪86を横から嵌め込むと、基板６に対してハンドル７が９０度の角度範囲だけ回動可能に結合されて、操作アッセンブリＢの組立てが完了する。
【００５０】
係合アッセンブリＡおよび操作アッセンブリＢを鞄の身部に取り付ける際には、操作アッセンブリＢから突出している回動軸81および円筒状の突起63、64を挿通できる３つの穴を鞄の身部にあける。
【００５１】
鞄の身部の表側から、既にあけた３つの穴に操作アッセンブリＢの回動軸81および円筒状の突起63、64をそれぞれ挿通し、鞄の身部の裏側に係合アッセンブリＡを突き合わせて、操作アッセンブリＢから突出した回動軸81を係合アッセンブリＡの回動軸31の小判形の穴35に挿し込み、係合アッセンブリＡの第２の突起17および四角柱状の第３の突起16を操作アッセンブリＢの円筒状の突起63、64にそれぞれ突き合わせて、係合アッセンブリＡの第２の突起17および四角柱状の第３の突起16の各貫通穴にタッピング・スクリューを挿通して、操作アッセンブリＢの円筒状の突起63、64にねじ込んで係合アッセンブリＡと操作アッセンブリＢとを合体する。
【００５２】
次に、このように構成されたこの発明のロック装置におけるロック・ロック解除・施錠の操作方法について図１３に基づいて説明する。
【００５３】
操作アッセンブリＢのハンドル７をコイル・スプリング85の弾力に抗して長手方向にずらせ、ハンドル７の突起75と基板６の切欠き65との係合を外してハンドル７を回すと、回動部材８とともに回動軸81が回動し、合体された係合アッセンブリＡの回動部材３の回動軸31も回動する。この回動軸31の回動により、リンク26で連結された係合部材２が、筐体の平行な壁面101、103の間を横方向に摺動する。
【００５４】
鞄の蓋を開いてハンドル７に何らの回動力をも加えなければ、係合部材２の突起23、24の各端面が、筐体１の区画12、13のスリット121、131に入って対向するコイル・スプリング122、132の前面で留まって図１３（ａ）に示す中立状態を保っている。
【００５５】
この中立状態においては、係合部材２の係合片20の鋭角αのテーパー面21が、筐体１の頂面にあけた長穴11の下に突出しており、係合部材２と連動するハンドル７は、基板６に対して７０度程度の鋭角をなしている。
【００５６】
この状態で、鞄の蓋を閉じて係止用フックＣが、係合アッセンブリＡの長穴11に挿し込まれると、図１３（ｂ）に示すように、係止用フックＣの下側のテーパー面21ｃが、係合片20の上側テーパー面21を摺動して、コイル・スプリング122の弾力に抗して係合片20とともに係合部材２を横方向（図示左方向）に移動させる。この移動の後、復元したコイル・スプリング122の弾力により、係止用フックＣの上側のテーパー面22ｃが、係合部材２の係合片20の下側テーパー面22と係合して、係合片20および係合片20ｃの両先端部の近傍同士が係合する。
【００５７】
このように、係合片20および係合片20ｃの先端部の近傍同士が係合することにより、鞄の蓋は仮締めされた状態となり、蓋部と身部との間に隙間が残存する。
【００５８】
次に、ハンドル７を基板６と重なり合うまで、すなわち、身部の開口部と平行になるまで回動させると、図１３（ｃ）に示すように、回動部材３の回動軸31が回動してリンク26で連結された係合部材２が、横方向（図示右方向）に移動する。
【００５９】
この移動において、係合部材２の突起24は、筐体１の区画103のスリット131に進入してコイル・スプリング132の弾力に抗しながら移動する。
【００６０】
この移動中に、係合部材２の係合片20の下側テーパー面22が、係止用フックＣの上側のテーパー面22ｃを摺動することにより、蓋部の係止用フックＣを身部側に引き付けるので、蓋部と身部との間の隙間が無くなって完全に閉じることができる。
【００６１】
ハンドル７を基板６と重なり合うまで回動させると、ハンドル７の突起75が基板６の端部の円弧面を摺動し始める。ハンドル７の内側に嵌め込まれた回動部材８およびコイル・スプリング85により、ハンドル７は、回動部材８の回動軸81に対して長手方向に移動可能であるから、ハンドル７の突起75が、コイル・スプリング85の弾力に抗して基板６の端部の円弧面を摺動し、基板６の切欠き65に嵌り込んで係止される。
【００６２】
このようにハンドル７がロックされた状態においては、回動部材３のアーム32と係合部材２との間に連結したリンク26は、一直線となる死点を超えて停止しているので、コイル・スプリング132の弾力により突起24とともに係合部材２が押し戻されることはなく、係止用フックＣとの係合が外れて鞄が不用意に開くことはないのである。
【００６３】
さらに、鞄が開かれないように施錠する場合には、鍵（図示せず）を操作して、施錠部材36を回動部材３の回動軸31に向かって押し出すと、施錠部材36の先端に形成した係合突起37が、回動軸31の係止片33と係合して回動軸31の回動を阻止するので、回動軸31と連動するハンドル７を回すことができなくなって、鞄を施錠することができる。
【００６４】
鞄を解錠する場合には、鍵（図示せず）を操作して、施錠部材36を回動部材３の回動軸31から離すと、施錠部材36の先端の係合突起37が、回動軸31の係止片33から離れて回動軸31は回動自在となるので、回動軸31と連動するハンドル７を回すことが可能になって、鞄を解錠することができる。
【００６５】
ハンドル７を９０度回動させたときには、図１３（ｄ）に示すように、係止用フックＣの係合片20ｃと係合部材２の係合片20との係合が完全に外れる。このとき、回動部材３の回動軸31の外周に形成された溝条30にクリック・ストップ部材４の楔状の突起41が係合する。
【００６６】
クリック・ストップ部材４は、蓋を閉じているときに、蓋の重力により押し部材Ｄを介して押ボタン44が押されてコイル・スプリング47が強く圧縮されているので、摺動片40の突起41は、回動軸31の溝条30に強く係合して、区画12のコイル・スプリング122の弾力が作用していても、ハンドル７を９０度の角度に保持し続ける。
【００６７】
図１３（ｄ）に示すように、係止用フックＣの係合片20ｃと係合部材２の係合片20との係合が、完全に外れているので蓋を持ち上げて開くことができる。蓋が開くと、押し部材Ｄを介するクリック・ストップ部材４の押ボタン44が押圧されなくなって、コイル・スプリング47の弾力が弱まり、クリック・ストップ部材４の突起41と回動軸31の溝条30との係合が外れ易くなって回動軸31の回動が可能になり、区画12のコイル・スプリング122の弾力によって、突起23とともに係合部材２が図１３（ａ）に示す仮締め可能な状態に戻される。
【００６８】
鞄には、把手の両側に一対のロック装置を備えているが、以上の説明では、一方のロック装置について説明したが、他方のロック装置には、左右対称のものを製作して取り付ければよいのである。
【図面の簡単な説明】
【００６９】
【図１】この発明の鞄用ロック装置において、鞄の蓋部分に取り付けられる係止用フックを示す正面図（ａ）および側面図（ｂ）、
【図２】係合アッセンブリの組立工程を示す組立図、
【図３】係合アッセンブリにおける筐体を示す図、
【図４】係合アッセンブリにおける係合部材を示す図、
【図５】係合アッセンブリにおける回動部材を示す図、
【図６】係合アッセンブリにおけるクリックストップ部材を示す図、
【図７】係合アッセンブリにおける支持金具を示す図、
【図８】操作アッセンブリの組立工程を示す組立図、
【図９】操作アッセンブリにおける基板を示す図、
【図１０】操作アッセンブリにおけるハンドルを示す図、
【図１１】操作アッセンブリにおける回動部材を示す図、
【図１２】操作アッセンブリにおいてハンドルの内側に嵌め込んだ回動部材およびコイル・スプリングを覆う蓋部材を示す図、
【図１３】この発明の鞄用ロック装置の解錠・施錠の操作方法を説明するために用いる図である。
【符号の説明】
【００７０】
Ａ  係合アッセンブリ
Ｂ  操作アッセンブリ
Ｃ  係止用フック
Ｄ  押し部材
１  筐体
101、103、105  壁面
102、104  テーパー面を有するフック部
106  斜めの壁面
11  長穴
12、13  区画
14  小区画
141  スリット
142  角穴
15  円柱状の低い突起
16  貫通穴を有する四角柱状の突起
17  貫通穴を有する円柱状の突起
２  係合部材
20  係合片
21、22  斜面
23、24  突起
25  連結部
26  リンク
３  回動部材
31  回動軸
32  アーム
33  係止片
34  円形の穴
35  小判形の穴
36  施錠部材
37  係合突起
38  長方形の角穴
39  結合用の穴
４  クリック・ストップ部材
40  摺動片
41  楔状の突起
44  押ボタン
47  コイル・スプリング
５  支持金具
51  円形の穴
52  長方形の穴
53  保持片
54  小区画の蓋部
６  基板
61  穴
62  筒状の突条
63、64  円筒状の突起
65  切欠き
７  ハンドル
71  円弧状の頂面
72  突条
73  ストッパー
75  突起
８  回動部材
81  回動軸
82  板部
821  突出部
822  長穴
85  コイル・スプリング
86  Ｃ形止め輪
９  蓋部材
91  長穴
【図１】
0005322498.tif 000002
【図２】
0005322498.tif 000003
【図３】
0005322498.tif 000004
【図４】
0005322498.tif 000005
【図５】
0005322498.tif 000006
【図６】
0005322498.tif 000007
【図７】
0005322498.tif 000008
【図８】
0005322498.tif 000009
【図９】
0005322498.tif 000010
【図１０】
0005322498.tif 000011
【図１１】
0005322498.tif 000012
【図１２】
0005322498.tif 000013
【図１３】
0005322498.tif 000014